【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
表示部と記憶部と制御部とを少なくとも備えたネットワークモデル統合装置であって、
上記記憶部は、
生体の構成要素を示すノード、および、当該構成要素間の相互作用を示すエッジを含むネットワークモデルと、当該ネットワークモデルを識別するネットワークモデルＩＤと、を対応付けて記憶するネットワークモデル記憶手段、
を備え、
上記制御部は、
任意の上記ネットワークモデルである指定ネットワークモデルを構成する上記ノードに結合する、当該指定ネットワークモデルを構成しない、上記ネットワークモデル記憶手段に記憶された上記エッジを検索する検索手段と、
上記検索手段により検索された上記エッジと、上記ネットワークモデル記憶手段に記憶された当該エッジを含む上記ネットワークモデルを識別する上記ネットワークモデルＩＤと、を含む検索結果を上記表示部に表示させる検索結果表示手段と、
上記指定ネットワークモデルに、上記検索結果に含まれるエッジと、当該エッジに結合した、当該指定ネットワークモデルを構成しない上記ノードと、を統合した上記ネットワークモデルである統合ネットワークモデルを生成する統合手段と、
を備えたことを特徴とする、ネットワークモデル統合装置。
【請求項２】
請求項１に記載のネットワークモデル統合装置において、
上記制御部は、
上記統合手段により生成された上記統合ネットワークモデルを識別する上記ネットワークモデルＩＤを取得し、当該統合ネットワークモデルと、当該ネットワークモデルＩＤと、を対応付けて上記ネットワークモデル記憶手段に格納するネットワークモデル格納手段、
を更に備えたことを特徴とする、ネットワークモデル統合装置。
【請求項３】
請求項１または２に記載のネットワークモデル統合装置において、
上記指定ネットワークモデルは、
上記ネットワークモデル記憶手段に記憶された上記ネットワークモデル、上記ネットワークモデル記憶手段に記憶されていない既知の上記ネットワークモデル、または、新規の上記ネットワークモデルであることを特徴とする、ネットワークモデル統合装置。
【請求項４】
請求項２に記載のネットワークモデル統合装置において、
上記ネットワークモデル格納手段は、
更に、上記指定ネットワークモデルが、上記ネットワークモデル記憶手段に記憶されていない既知のネットワークモデル、または、新規のネットワークモデルである場合、上記指定ネットワークモデルを識別する上記ネットワークモデルＩＤを取得し、当該指定ネットワークモデルと、当該ネットワークモデルＩＤと、を対応付けて上記ネットワークモデル記憶手段に格納することを特徴とする、ネットワークモデル統合装置。
【請求項５】
請求項２に記載のネットワークモデル統合装置において、
上記ネットワークモデル格納手段は、
上記統合ネットワークモデルに含まれる上記指定ネットワークモデルを識別する上記ネットワークモデルＩＤ、または、新規の上記ネットワークモデルＩＤを、上記統合ネットワークモデルを識別する上記ネットワークモデルＩＤとして取得し、当該統合ネットワークモデルと、当該ネットワークモデルＩＤと、を対応付けて上記ネットワークモデル記憶手段に格納することを特徴とする、ネットワークモデル統合装置。
【請求項６】
請求項１乃至５のいずれか一つに記載のネットワークモデル統合装置において、
上記記憶部は、
上記構成要素のパスウェイを記憶したパスウェイ記憶手段と、
上記構成要素および上記相互作用に関する文献の文献情報を記憶する文献情報記憶手段と、
ニュース配信サービスが提供するニュースを記憶するニュース記憶手段と、
上記文献情報からテキストマイニングを用いて抽出された上記構成要素および上記相互作用に関するテキスト情報を記憶するテキストマイニング記憶手段と、
を更に備え、
上記検索手段は、
更に、上記パスウェイ記憶手段に記憶された上記パスウェイ、上記文献情報記憶手段に記憶された上記文献情報、上記ニュース記憶手段に記憶された上記ニュース、および／または、上記テキストマイニング記憶手段に記憶された上記テキスト情報から、上記指定ネットワークモデルを構成する上記ノードに結合する、当該指定ネットワークモデルを構成しない上記エッジを検索し、当該エッジを含む上記ネットワークモデルを識別する上記ネットワークモデルＩＤを取得することを特徴とする、ネットワークモデル統合装置。
【請求項７】
請求項１乃至６のいずれか一つに記載のネットワークモデル統合装置において、
上記検索結果表示手段は、
更に、上記検索手段により検索された上記エッジに結合した、上記指定ネットワークモデルを構成しない上記ノードと、上記ネットワークモデル記憶手段に記憶された当該ノードを含む上記ネットワークモデルを識別する上記ネットワークモデルＩＤと、を含む上記検索結果を上記表示部に表示させることを特徴とする、ネットワークモデル統合装置。
【請求項８】
請求項１乃至６のいずれか一つに記載のネットワークモデル統合装置において、
上記検索結果表示手段は、
上記検索結果を、リスト形式で上記表示部に表示、および／または、上記ネットワークモデル上に重畳して上記表示部に表示させることを特徴とする、ネットワークモデル統合装置。
【請求項９】
請求項１乃至８のいずれか一つに記載のネットワークモデル統合装置において、
上記制御部は、
上記検索手段により上記ネットワークモデル記憶手段に記憶された上記エッジが検索された場合、上記指定ネットワークモデルに含まれ、且つ、当該エッジに対応する上記ネットワークモデルＩＤにより識別される上記ネットワークモデル記憶手段に記憶された上記ネットワークモデルに含まれない、上記ノードおよび／または上記エッジを、当該ネットワークモデルを提供したユーザに通知する構成通知手段、
を更に備えたことを特徴とする、ネットワークモデル統合装置。
【請求項１０】
請求項１乃至８のいずれか一つに記載のネットワークモデル統合装置において、
上記制御部は、
上記統合手段により上記統合ネットワークモデルが生成された場合、上記統合ネットワークモデルに含まれ、且つ、上記検索結果に含まれる当該エッジに対応する上記ネットワークモデルＩＤにより識別される上記ネットワークモデル記憶手段に記憶された上記ネットワークモデルに含まれない、上記ノードおよび／または上記エッジを、当該ネットワークモデルを提供したユーザに通知する構成通知手段、
を更に備えたことを特徴とする、ネットワークモデル統合装置。
【請求項１１】
請求項１乃至８のいずれか一つに記載のネットワークモデル統合装置において、
上記ネットワークモデル記憶手段は、
更に、上記ネットワークモデルの一部もしくは全部、上記ノード、または、上記エッジに対する注釈を、当該ネットワークモデルの一部もしくは全部、当該ノード、または、当該エッジに対応付けて記憶し、
上記制御部は、
上記ネットワークモデル記憶手段に記憶された、上記ネットワークモデルの一部もしくは全部、上記ネットワークモデルに含まれる上記ノード、または、上記ネットワークモデルに含まれる上記エッジに対して、上記注釈を当該ネットワークモデルの一部もしくは全部、当該ノード、または、当該エッジに対応付けて上記ネットワークモデル記憶手段に格納する注釈格納手段と、
上記ネットワークモデル記憶手段に記憶された上記注釈を、上記ネットワークモデル記憶手段に記憶された、当該注釈に対応する上記ネットワークモデル、当該注釈に対応する上記ノードを含む上記ネットワークモデル、または、当該注釈に対応する上記エッジを含む上記ネットワークモデルを提供したユーザに通知する注釈通知手段、
を更に備えたことを特徴とする、ネットワークモデル統合装置。
【請求項１２】
請求項１乃至１１のいずれか一つに記載のネットワークモデル統合装置において、
上記ネットワークモデル記憶手段は、
更に、上記検索結果に対する評価値を当該検索結果に含まれる上記エッジに対応付けて記憶し、
上記制御部は、
上記評価値を当該検索結果に含まれる上記エッジに対応付けて上記ネットワークモデル記憶手段に格納する評価値格納手段、
を更に備えたことを特徴とする、ネットワークモデル統合装置。
【請求項１３】
請求項１２に記載のネットワークモデル統合装置において、
上記検索結果表示手段は、
更に、上記検索手段により検索された上記エッジに対応する、上記ネットワークモデル記憶手段に記憶された上記評価値を上記表示部に表示させることを特徴とする、ネットワークモデル統合装置。
【請求項１４】
請求項６に記載のネットワークモデル統合装置において、
上記制御部は、
当該ネットワークモデルの一部もしくは全部、当該ノード、または、当該エッジに関連するキーワードを取得するキーワード取得手段と、
任意の間隔で、上記キーワード取得手段により取得された上記キーワードを用いて、上記文献情報記憶手段に記憶された、所定時間内に発表された上記文献の上記文献情報を検索する文献情報検索手段と、
上記文献情報検索手段により検索された上記文献情報を、リスト形式で上記表示部に表示、および／または、上記ネットワークモデル記憶手段に記憶された上記ネットワークモデル上に重畳して上記表示部に表示させる文献情報表示手段と、
を更に備えたことを特徴とする、ネットワークモデル統合装置。
【請求項１５】
請求項１４に記載のネットワークモデル統合装置において、
上記制御部は、
上記文献情報検索手段により検索された上記文献情報をユーザに通知する文献情報通知手段、
を更に備えたことを特徴とする、ネットワークモデル統合装置。
【請求項１６】
請求項１４または１５に記載のネットワークモデル統合装置において、
上記文献情報表示手段は、
表示優先条件に基づいて、上記文献情報を、上記リスト形式で上記表示部に表示、および／または、上記ネットワークモデル上に重畳して上記表示部に表示させることを特徴とする、ネットワークモデル統合装置。
【請求項１７】
請求項１６に記載のネットワークモデル統合装置において、
上記表示優先条件は、
文献名、文献発行機関名、または、著書名であることを特徴とする、ネットワークモデル統合装置。
【請求項１８】
請求項１乃至１７のいずれか一つに記載のネットワークモデル統合装置において、
上記記憶部は、
上記構成要素または上記相互作用に関する広告情報を記憶する広告情報記憶手段、
を更に備え、
上記制御部は、
当該ネットワークモデルの一部もしくは全部、当該ノード、または、当該エッジに基づく上記構成要素または上記相互作用に関する、上記広告情報記憶手段に記憶された上記広告情報を取得する広告情報取得手段と、
上記広告情報取得手段により取得された上記広告情報を上記表示部に表示させる広告情報表示手段と、
を更に備えたことを特徴とする、ネットワークモデル統合装置。
【請求項１９】
請求項１８に記載のネットワークモデル統合装置において、
上記広告情報取得手段は、
更に、上記ネットワークモデルの一部もしくは全部、上記ノード、または、上記エッジに基づく上記構成要素と相互作用する周辺の上記構成要素に関する、上記広告情報記憶手段に記憶された上記広告情報を取得することを特徴とする、ネットワークモデル統合装置。
【請求項２０】
請求項１乃至１７のいずれか一つに記載のネットワークモデル統合装置において、
上記記憶部は、
上記構成要素または上記相互作用に関する広告情報を記憶する広告情報記憶手段、
を更に備え、
上記制御部は、
上記ネットワークモデルを上記表示部に表示させるネットワークモデル表示手段と、
上記ネットワークモデル表示手段により、所定時間内で画面中心部に最も長く表示されている上記ネットワークモデルの一部を認識し、当該ネットワークモデルの一部に含まれる、上記ノードに基づく上記構成要素、および／または、上記エッジに基づく上記相互作用に関連する、上記広告情報記憶手段に記憶された上記広告情報を取得する広告情報取得手段と、
上記広告情報取得手段により取得された上記広告情報を上記表示部に表示させる広告情報表示手段と、
を更に備えたことを特徴とする、ネットワークモデル統合装置。
【請求項２１】
請求項６に記載のネットワークモデル統合装置において、
上記制御部は、
上記検索手段により上記エッジを検索された上記文献情報から、自然言語解析を用いて上記ネットワークモデルを取得し、当該ネットワークモデルを識別するネットワークモデルＩＤを取得する文献モデル取得手段、
を更に備え、
上記ネットワークモデル格納手段は、
更に、上記文献モデル取得手段により取得された上記ネットワークモデルと、上記ネットワークモデルＩＤと、を対応付けて上記ネットワークモデル記憶手段に格納することを特徴とする、ネットワークモデル統合装置。
【請求項２２】
制御部と記憶部とを少なくとも備えたネットワークモデル統合装置、および、表示部と制御部とを少なくとも備えた端末装置、を通信可能に接続したネットワークモデル統合システムであって、
上記ネットワークモデル統合装置の上記記憶部は、
生体の構成要素を示すノード、および、当該構成要素間の相互作用を示すエッジを含むネットワークモデルと、当該ネットワークモデルを識別するネットワークモデルＩＤと、を対応付けて記憶するネットワークモデル記憶手段、
を備え、
上記ネットワークモデル統合装置の上記制御部は、
任意の上記ネットワークモデルである指定ネットワークモデルを構成する上記ノードに結合する、当該指定ネットワークモデルを構成しない、上記ネットワークモデル記憶手段に記憶された上記エッジを検索し、上記検索された上記エッジと、上記ネットワークモデル記憶手段に記憶された当該エッジを含む上記ネットワークモデルを識別する上記ネットワークモデルＩＤと、を含む検索結果を上記端末装置に送信する検索手段と、
上記指定ネットワークモデルに、上記検索結果に含まれるエッジと、当該エッジに結合した、当該指定ネットワークモデルを構成しない上記ノードと、を統合した上記ネットワークモデルである統合ネットワークモデルを生成する統合手段と、
を備え、
上記端末装置の上記制御部は、
上記ネットワークモデル統合装置から送信される上記検索結果を上記表示部に表示させる検索結果表示手段、
を備えたことを特徴とする、ネットワークモデル統合システム。
【請求項２３】
表示部と記憶部と制御部とを少なくとも備えたネットワークモデル統合装置において実行されるネットワークモデル統合方法であって、
上記記憶部は、
生体の構成要素を示すノード、および、当該構成要素間の相互作用を示すエッジを含むネットワークモデルと、当該ネットワークモデルを識別するネットワークモデルＩＤと、を対応付けて記憶するネットワークモデル記憶手段、
を備え、
上記制御部において実行される、
任意の上記ネットワークモデルである指定ネットワークモデルを構成する上記ノードに結合する、当該指定ネットワークモデルを構成しない、上記ネットワークモデル記憶手段に記憶された上記エッジを検索する検索ステップと、
上記検索ステップにて検索された上記エッジと、上記ネットワークモデル記憶手段に記憶された当該エッジを含む上記ネットワークモデルを識別する上記ネットワークモデルＩＤと、を含む検索結果を上記表示部に表示させる検索結果表示ステップと、
上記指定ネットワークモデルに、上記検索結果に含まれるエッジと、当該エッジに結合した、当該指定ネットワークモデルを構成しない上記ノードと、を統合した上記ネットワークモデルである統合ネットワークモデルを生成する統合ステップと、
を含むことを特徴とする、ネットワークモデル統合方法。
【請求項２４】
制御部と記憶部とを少なくとも備えたネットワークモデル統合装置、および、表示部と制御部とを少なくとも備えた端末装置、を通信可能に接続したネットワークモデル統合システムにおいて実行されるネットワークモデル統合方法であって、
上記ネットワークモデル統合装置の上記記憶部は、
生体の構成要素を示すノード、および、当該構成要素間の相互作用を示すエッジを含むネットワークモデルと、当該ネットワークモデルを識別するネットワークモデルＩＤと、を対応付けて記憶するネットワークモデル記憶手段、
を備え、
上記ネットワークモデル統合装置の上記制御部において実行される、任意の上記ネットワークモデルである指定ネットワークモデルを構成する上記ノードに結合する、当該指定ネットワークモデルを構成しない、上記ネットワークモデル記憶手段に記憶された上記エッジを検索し、上記検索された上記エッジと、上記ネットワークモデル記憶手段に記憶された当該エッジを含む上記ネットワークモデルを識別する上記ネットワークモデルＩＤと、を含む検索結果を上記端末装置に送信する検索ステップと、
上記端末装置の上記制御部において実行される、上記ネットワークモデル統合装置から送信される上記検索結果を上記表示部に表示させる検索結果表示ステップと、
上記ネットワークモデル統合装置の上記制御部において実行される、上記指定ネットワークモデルに、上記検索結果に含まれるエッジと、当該エッジに結合した、当該指定ネットワークモデルを構成しない上記ノードと、を統合した上記ネットワークモデルである統合ネットワークモデルを生成する統合ステップと、
を含むことを特徴とする、ネットワークモデル統合方法。
【請求項２５】
表示部と記憶部と制御部とを少なくとも備えたネットワークモデル統合装置に実行させるためのプログラムであって、
上記記憶部は、
生体の構成要素を示すノード、および、当該構成要素間の相互作用を示すエッジを含むネットワークモデルと、当該ネットワークモデルを識別するネットワークモデルＩＤと、を対応付けて記憶するネットワークモデル記憶手段、
を備え、
上記制御部において、
任意の上記ネットワークモデルである指定ネットワークモデルを構成する上記ノードに結合する、当該指定ネットワークモデルを構成しない、上記ネットワークモデル記憶手段に記憶された上記エッジを検索する検索ステップと、
上記検索ステップにて検索された上記エッジと、上記ネットワークモデル記憶手段に記憶された当該エッジを含む上記ネットワークモデルを識別する上記ネットワークモデルＩＤと、を含む検索結果を上記表示部に表示させる検索結果表示ステップと、
上記指定ネットワークモデルに、上記検索結果に含まれるエッジと、当該エッジに結合した、当該指定ネットワークモデルを構成しない上記ノードと、を統合した上記ネットワークモデルである統合ネットワークモデルを生成する統合ステップと、
を実行させるためのプログラム。
【請求項２６】
端末装置に通信可能に接続された、制御部と記憶部とを少なくとも備えたネットワークモデル統合装置に実行させるためのプログラムであって、
上記記憶部は、
生体の構成要素を示すノード、および、当該構成要素間の相互作用を示すエッジを含むネットワークモデルと、当該ネットワークモデルを識別するネットワークモデルＩＤと、を対応付けて記憶するネットワークモデル記憶手段、
を備え、
上記制御部において、
任意の上記ネットワークモデルである指定ネットワークモデルを構成する上記ノードに結合する、当該指定ネットワークモデルを構成しない、上記ネットワークモデル記憶手段に記憶された上記エッジを検索し、上記検索された上記エッジと、上記ネットワークモデル記憶手段に記憶された当該エッジを含む上記ネットワークモデルを識別する上記ネットワークモデルＩＤと、を含む検索結果を上記端末装置に送信する検索ステップと、
上記指定ネットワークモデルに、上記検索結果に含まれるエッジと、当該エッジに結合した、当該指定ネットワークモデルを構成しない上記ノードと、を統合した上記ネットワークモデルである統合ネットワークモデルを生成する統合ステップと、
を実行させるためのプログラム。